(57)【要約】【課題】ディスプレイによる表示を多様化させる技術を改善すること。【解決手段】携帯電子機器（例えば、スマートフォン）１は、第１ディスプレイ２Ａと、入射される光を透過する透過状態と入射される光を反射する反射状態とが切り替え可能な第２ディスプレイ２Ｂと、第１ディスプレイ２Ａの表示中に所定のイベントが発生すると、当該所定のイベントに関する第１画像を、当該所定のイベントが発生してから所定操作を検出するまでの間にわたって第２ディスプレイ２Ｂに表示させ、所定のイベントの発生に関しない第２画像を、第２ディスプレイ２Ｂに表示させた後、所定時間が経過した後に非表示にさせるコントローラ１０と、を備える。【選択図】図７
2018198006.tif 000002
【特許請求の範囲】
【請求項１】
第１ディスプレイと、
入射される光を透過する透過状態と入射される光を反射する反射状態とが切り替え可能な第２ディスプレイと、
前記第１ディスプレイの表示中に所定のイベントが発生すると、当該所定のイベントに関する第１画像を、当該所定のイベントが発生してから所定操作を検出するまでの間にわたって前記第２ディスプレイに表示させ、
前記所定のイベントの発生に関しない第２画像を、前記第２ディスプレイに表示させた後、所定時間が経過した後に非表示にさせるコントローラと、
を備える携帯電子機器。
【請求項２】
前記第１ディスプレイは、ハウジングの一面に設けられ、
前記第２ディスプレイは、前記一面と対向する前記ハウジングの反対の面に設けられている請求項１に記載の携帯電子機器。
【請求項３】
前記第２ディスプレイに重ねられた透光性の着色部材をさらに備える請求項１または２に記載の携帯電子機器。
【請求項４】
入射される光を透過する透過状態と入射される光を反射する反射状態とが切り替え可能なディスプレイと、
所定のイベントに関する第１画像を、当該所定のイベントが発生してから所定操作を検出するまでの間にわたって前記ディスプレイに表示させ、
前記所定のイベントの発生に関しない第２画像を、前記ディスプレイに表示させた後、所定時間が経過した後に非表示にさせるコントローラと、
を備える携帯電子機器。
【請求項５】
入射される光を透過する透過状態と入射される光を反射する反射状態とが切り替え可能なディスプレイを備える携帯電子機器によって実行される制御方法であって、
所定のイベントに関する第１画像を、当該所定のイベントが発生してから所定操作を検出するまでの間にわたって前記ディスプレイに表示させるステップと、
前記所定のイベントの発生に関しない第２画像を、前記ディスプレイに表示させた後、所定時間が経過した後に非表示にさせるステップと、
を含む制御方法。
【請求項６】
入射される光を透過する透過状態と入射される光を反射する反射状態とが切り替え可能なディスプレイを備える携帯電子機器に、
所定のイベントに関する第１画像を、当該所定のイベントが発生してから所定操作を検出するまでの間にわたって前記ディスプレイに表示させるステップと、
前記所定のイベントの発生に関しない第２画像を、前記ディスプレイに表示させた後、所定時間が経過した後に非表示にさせるステップと、
を実行させる制御プログラム。
【発明の詳細な説明】
【技術分野】
【０００１】
本出願は、携帯電子機器、制御方法、及び制御プログラムに関する。
【背景技術】
【０００２】
携帯電子機器には、透過型のディスプレイを有するものが知られている。特許文献１の携帯電子機器は、バックライト等の光源を使用することで透過型のディスプレイを視認可能としている。
【先行技術文献】
【特許文献】
【０００３】
【特許文献１】国際公開第２０１４／１７５４５５号
【発明の概要】
【発明が解決しようとする課題】
【０００４】
従来の携帯電子機器は、ディスプレイによる表示を多様化させる技術に改善の余地がある。
【課題を解決するための手段】
【０００５】
態様の１つに係る携帯電子機器は、第１ディスプレイと、入射される光を透過する透過状態と入射される光を反射する反射状態とが切り替え可能な第２ディスプレイと、前記第１ディスプレイの表示中に所定のイベントが発生すると、当該所定のイベントに関する第１画像を、当該所定のイベントが発生してから所定操作を検出するまでの間にわたって前記第２ディスプレイに表示させ、前記所定のイベントの発生に関しない第２画像を、前記第２ディスプレイに表示させた後、所定時間が経過した後に非表示にさせるコントローラと、を備える。
【０００６】
態様の１つに係る携帯電子機器は、入射される光を透過する透過状態と入射される光を反射する反射状態とが切り替え可能なディスプレイと、所定のイベントに関する第１画像を、当該所定のイベントが発生してから所定操作を検出するまでの間にわたって前記ディスプレイに表示させ、前記所定のイベントの発生に関しない第２画像を、前記ディスプレイに表示させた後、所定時間が経過した後に非表示にさせるコントローラと、を備える。
【０００７】
態様の１つに係る制御方法は、入射される光を透過する透過状態と入射される光を反射する反射状態とが切り替え可能なディスプレイを備える携帯電子機器によって実行される制御方法であって、所定のイベントに関する第１画像を、当該所定のイベントが発生してから所定操作を検出するまでの間にわたって前記ディスプレイに表示させるステップと、前記所定のイベントの発生に関しない第２画像を、前記ディスプレイに表示させた後、所定時間が経過した後に非表示にさせるステップと、を含む。
【０００８】
態様の１つに係る制御プログラムは、入射される光を透過する透過状態と入射される光を反射する反射状態とが切り替え可能なディスプレイを備える携帯電子機器に、所定のイベントに関する第１画像を、当該所定のイベントが発生してから所定操作を検出するまでの間にわたって前記ディスプレイに表示させるステップと、前記所定のイベントの発生に関しない第２画像を、前記ディスプレイに表示させた後、所定時間が経過した後に非表示にさせるステップと、を実行させる。
【図面の簡単な説明】
【０００９】
【図１】図１は、実施形態に係るスマートフォンの一例を示す正面図である。
【図２】図２は、実施形態に係るスマートフォンのディスプレイの配置の一例を示す図である。
【図３】図３は、実施形態に係るスマートフォンの一例を示す背面図である。
【図４】図４は、実施形態に係るスマートフォンの背面側の配置の一例を示す図である。
【図５】図５は、実施形態に係る第２ディスプレイの状態の一例を示す図である。
【図６】図６は、実施形態に係る第１ディスプレイ及び第２ディスプレイの表示領域の一例を示す図である。
【図７】図７は、実施形態に係るスマートフォンのブロック図である。
【図８】図８は、実施形態に係るスマートフォンが行う表示制御の一例を示す図である。
【図９】図９は、実施形態に係るスマートフォンが行う表示制御の他の一例を示す図である。
【図１０】図１０は、実施形態に係るスマートフォンによる表示制御の一例の処理手順を示すフローチャートである。
【図１１】図１１は、実施形態に係るスマートフォンが行う表示制御の他の一例を示す図である。
【図１２】図１２は、実施形態に係るスマートフォンが行う表示制御の他の一例を示す図である。
【図１３】図１３は、実施形態に係るスマートフォンが行う表示制御の他の一例を示す図である。
【図１４】図１４は、第２ディスプレイの第２表示領域の他の一例を示す図である。
【発明を実施するための形態】
【００１０】
本出願に係る携帯電子機器、制御方法、及び制御プログラムを実施するための複数の実施形態を、図面を参照しつつ詳細に説明する。以下では、携帯電子機器の例として、スマートフォンについて説明する。
【００１１】
（実施形態）
図１から図５を参照しながら、実施形態に係るスマートフォン１の全体的な構成について説明する。図１は、実施形態に係るスマートフォン１の一例を示す正面図である。図２は、実施形態に係るスマートフォン１のディスプレイの配置の一例を示す図である。図３は、実施形態に係るスマートフォン１の一例を示す背面図である。図４は、実施形態に係るスマートフォン１の背面側の配置の一例を示す図である。図５は、実施形態に係る第２ディスプレイの状態の一例を示す図である。
【００１２】
図１に示すように、スマートフォン１は、ハウジング２０を有する。ハウジング２０は、主面２１と、背面２６とを有する。主面２１は、スマートフォン１の正面である。背面２６は、スマートフォン１の主面２１と対向する面である。スマートフォン１は、第１ディスプレイ２Ａと、第２ディスプレイ２Ｂと、タッチスクリーン２Ｃと、照度センサ４と、近接センサ５と、カメラ１２とを、主面２１に有する。スマートフォン１は、第２ディスプレイ２Ｄと、着色部材２Ｅと、カメラ１３とを、背面２６に有する。
【００１３】
第１ディスプレイ２Ａ及びタッチスクリーン２Ｃは、主面２１の周縁に沿った略長方形状を有する。第１ディスプレイ２Ａ及びタッチスクリーン２Ｃは、主面２１において、ハウジング２０のフロントパネル２２に囲まれている。第１ディスプレイ２Ａ及びタッチスクリーン２Ｃはそれぞれ略長方形状を有するが、第１ディスプレイ２Ａ及びタッチスクリーン２Ｃの形状はこれに限定されない。第１ディスプレイ２Ａ及びタッチスクリーン２Ｃは、それぞれが正方形又は円形等のどのような形状もとりうる。図１の例では、第１ディスプレイ２Ａ及びタッチスクリーン２Ｃは重なって位置しているが、第１ディスプレイ２Ａ及びタッチスクリーン２Ｃの位置はこれに限定されない。第１ディスプレイ２Ａ及びタッチスクリーン２Ｃは、例えば、並んで位置してもよいし、離れて位置してもよい。図１の例では、第１ディスプレイ２Ａの長辺はタッチスクリーン２Ｃの長辺に沿っており、第１ディスプレイ２Ａの短辺はタッチスクリーン２Ｃの短辺に沿っているが、第１ディスプレイ２Ａ及びタッチスクリーン２Ｃの重ね方はこれに限定されない。第１ディスプレイ２Ａとタッチスクリーン２Ｃとが重なって位置する場合、例えば、第１ディスプレイ２Ａの１ないし複数の辺は、タッチスクリーン２Ｃのいずれの辺とも沿っていなくてもよい。
【００１４】
第１ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。第１ディスプレイ２Ａは、透過型のディスプレイ、自発光型のディスプレイを含む。本実施形態では、第１ディスプレイ２Ａは、バックライトを有する液晶ディスプレイである場合について説明する。
【００１５】
第２ディスプレイ２Ｂは、図１に示すように、ハウジング２０の主面２１と類似した形状を有する。第２ディスプレイ２Ｂは、第１ディスプレイ２Ａよりも大きな形状となっている。第２ディスプレイ２Ｂは、第１ディスプレイ２Ａ及びハウジング２０のフロントパネル２２の表面全体に重ねられている。第２ディスプレイ２Ｂは、表面全体が強化ガラス２５によって覆われている。第２ディスプレイ２Ｂは、第１ディスプレイ２Ａと強化ガラス２５との間に挟まれている。第２ディスプレイ２Ｂは、例えば、光硬化型樹脂、接着剤等によって第１ディスプレイ２Ａと強化ガラス２５との間に貼り合わせてもよい。
【００１６】
第２ディスプレイ２Ｄは、図３及び図４に示すように、ハウジング２０の背面２６と類似した形状を有する。第２ディスプレイ２Ｄは、ハウジング２０の背面２６の全体に重ねられている。第２ディスプレイ２Ｄは、表面全体が透光性の着色部材２Ｅによって覆われている。第２ディスプレイ２Ｄは、ハウジング２０の背面２６と着色部材２Ｅとの間に挟まれている。本実施形態では、第２ディスプレイ２Ｄは、着色部材２Ｅによって覆われる場合について説明するが、第２ディスプレイ２Ｂと同様に、強化ガラス２５によって覆われてもよい。
【００１７】
第２ディスプレイ２Ｂ，２Ｄは、ポリマーネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、電子ペーパー等を含む。本実施形態では、第２ディスプレイ２Ｂ，２Ｄは、ポリマーネットワーク型液晶ディスプレイである場合について説明する。
【００１８】
図５に示すように、第２ディスプレイ２Ｂ，２Ｄは、ガラスまたは透明フィルム（例えば有機素材からなる）の基板３１と、液晶層３２とを有する。第２ディスプレイ２Ｂ，２Ｄは、入射される光を透過する透過状態ＳＴ１と、入射される光を反射する反射状態ＳＴ２とを有する。
【００１９】
透過状態ＳＴ１は、第２ディスプレイ２Ｂ，２Ｄの基板３１に電圧が印加された状態である。第２ディスプレイ２Ｂ，２Ｄは、透過状態ＳＴ１の場合、電圧の印加によって液晶分子３３が電界方向Ｅに整列し、透明な状態になる。第２ディスプレイ２Ｂ，２Ｄは、透過状態ＳＴ１の場合、入射される光を透過する。第２ディスプレイ２Ｂ，２Ｄは、透過状態ＳＴ１の場合、基板３１の外部から入射された入射光を反対側の基板３１から透過光として出射する。第２ディスプレイ２Ｂ，２Ｄは、透過状態ＳＴ１の場合、入射光が散乱されず、透明を呈する。第２ディスプレイ２Ｂは、透過状態ＳＴ１の場合、背後の第１ディスプレイ２Ａ、フロントパネル２２等を利用者に視認させることができる。第２ディスプレイ２Ｄは、透過状態ＳＴ１の場合、背後のハウジング２０の背面２６、カメラ１３等を利用者に視認させることができる。透過状態ＳＴ１は、第２ディスプレイ２Ｂ，２Ｄを介して第２ディスプレイ２Ｂ，２Ｄの背後を利用者が視認な状態を含む。透過状態ＳＴ１は、半透明な状態を含んでもよい。
【００２０】
反射状態ＳＴ２は、第２ディスプレイ２Ｂ，２Ｄの基板３１に電圧が印加されていない状態である。第２ディスプレイ２Ｂ，２Ｄは、反射状態ＳＴ２の場合、液晶層３２内部の網目状のポリマーネットワーク３４の作用により、液晶分子３３の配列が不規則な状態を誘起して光を反射、錯乱させる。第２ディスプレイ２Ｂ，２Ｄは、反射状態ＳＴ２の場合、液晶分子３３による光の反射、散乱で不透明な状態を発現できる。第２ディスプレイ２Ｂ，２Ｄは、反射状態ＳＴ２の場合、第２ディスプレイ２Ｂの不透明な部分を、反射、散乱された光によって利用者に視認させることができる。第２ディスプレイ２Ｂは、反射状態ＳＴ２の不透明な部分によって背後の第１ディスプレイ２Ａ、フロントパネル２２等を隠すことができる。第２ディスプレイ２Ｄは、反射状態ＳＴ２の不透明な部分によって背後のハウジング２０の背面２６、カメラ１３等を隠すことができる。
【００２１】
電圧印加の有無による透過状態ＳＴ１および反射状態ＳＴ２の発現は電圧の印加の有無により切り替え可能なものを意味し、電圧の印加そのものが透過状態ＳＴ１を一意的に限定するものではない。すなわち、上記では電圧の印加によって第２ディスプレイ２Ｂ，２Ｄが透明な状態になる場合を例示したが、第２ディスプレイ２Ｂ，２Ｄは、電圧が印加されていない状態で透過状態ＳＴ１となり、電圧が印加されている状態で反射状態ＳＴ２となる、逆の構成であってもよい。なお以下では、基板３１に電圧が印加された状態において第２ディスプレイ２Ｂ，２Ｄが透過状態ＳＴ１となり、基板３１に電圧が印加されていない状態において第２ディスプレイ２Ｂ，２Ｄが反射状態ＳＴ２となるものとして、説明する。
【００２２】
本実施形態では、第２ディスプレイ２Ｂ，２Ｄは、液晶分子３３によってスマートフォン１の外部の光を反射、散乱させることにより、反射状態ＳＴ２の部分を白濁した状態で利用者に視認させる場合について説明するが、これに限定されない。例えば、第２ディスプレイ２Ｂ，２Ｄは、白色とは異なる色を呈する材料を用いてもよい。
【００２３】
図６は、実施形態に係る第１ディスプレイ２Ａ及び第２ディスプレイ２Ｂの表示領域の一例を示す図である。図６に示すように、第１ディスプレイ２Ａは、第１表示領域２００を有する。第１表示領域２００は、第１ディスプレイ２Ａが各種情報を表示する表示面である。第２ディスプレイ２Ｂは、第２表示領域３００を有する。第２表示領域３００は、第１領域３０１と、第２領域３０２とを有する。例えば、第１領域３０１は、第１ディスプレイ２Ａの第１表示領域２００と重なる第２表示領域３００の領域である。例えば、第２領域３０２は、第１表示領域２００と重ならない第２表示領域３００の領域である。例えば、第２領域３０２は、図１に示すフロントパネル２２と重なる第２表示領域３００の領域である。
【００２４】
本実施形態では、第２ディスプレイ２Ｂは、ハウジング２０の主面２１の略全面を覆う場合について説明するが、これに限定されない。例えば、第２ディスプレイ２Ｂは、ハウジング２０の主面２１の所定の範囲のみを覆ってもよい。所定の範囲は、例えば、主面２１における第１ディスプレイ２Ａの上側及び下側の少なくとも一方の部分としてもよい。所定の範囲は、例えば、フロントパネル２２の一部としてもよい。例えば、スマートフォン１がハウジング２０のフロントパネル２２に操作ボタン等を有する場合、第２ディスプレイ２Ｂは、操作ボタン等に重ならないように、主面２１に設けてもよい。
【００２５】
第２ディスプレイ２Ｄは、図３に示すように、第３表示領域４００を有する。第３表示領域４００は、ハウジング２０の背面２６の全体と重ねる領域を含む。第３表示領域４００は、ハウジング２０の背面２６の一部の領域としてもよい。
【００２６】
タッチスクリーン２Ｃは、タッチスクリーン２Ｃに対する指、ペン、又はスタイラスペン等の接触を検出する。タッチスクリーン２Ｃは、複数の指、ペン、又はスタイラスペン等がタッチスクリーン２Ｃに接触した位置を検出することができる。以下の説明では、タッチスクリーン２Ｃに対して接触する指、ペン、又はスタイラスペン等を、「接触オブジェクト」又は「接触物」と呼ぶことがある。
【００２７】
タッチスクリーン２Ｃの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｃに接触するものと想定する。
【００２８】
スマートフォン１は、タッチスクリーン２Ｃにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｃに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２９】
スマートフォン１は、タッチスクリーン２Ｃを介して判別するこれらのジェスチャに従って動作を行う。このため、利用者にとって直感的で使いやすい操作性が実現される。判別されるジェスチャに従ってスマートフォン１が行う動作は、第１ディスプレイ２Ａに表示されている画面に応じて異なることがある。以下の説明では、説明を簡単にするために、「タッチスクリーン２Ｃが接触を検出し、検出された接触に基づいてジェスチャの種別をスマートフォン１がＸと判別すること」を、「スマートフォンがＸを検出する」、又は「コントローラがＸを検出する」と記載することがある。
【００３０】
着色部材２Ｅは、顔料等の着色剤で着色された板状の透光性の着色パネル、着脱可能な透光性の着色カバー、第２ディスプレイ２Ｄに積層される透光性の着色層等を含む。着色部材２Ｅは、第２ディスプレイ２Ｄの全面を覆っている。着色部材２Ｅは、背後の第２ディスプレイ２Ｄ、ハウジング２０の背面２６等を利用者に視認させることができる。着色部材２Ｅの色は、例えば、黄色、赤色、緑色、青色等の色を含む。着色部材２Ｅは、第２ディスプレイ２Ｄが反射状態ＳＴ２である場合、着色部材２Ｅの色で第２ディスプレイ２Ｄを利用者に視認させることができる。本実施形態では、着色部材２Ｅは、着色パネルである場合について説明する。
【００３１】
本実施形態では、スマートフォン１は、ハウジング２０の背面２６にタッチスクリーン２Ｃを設けない場合について説明するが、これに限定されない。例えば、スマートフォン１は、ハウジング２０の背面２６に第２ディスプレイ２Ｄを覆うタッチスクリーン２Ｃを設けてもよい。
【００３２】
図７は、実施形態に係るスマートフォン１のブロック図である。スマートフォン１は、第１ディスプレイ２Ａと、第２ディスプレイ２Ｂ及び２Ｄと、タッチスクリーン２Ｃと、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、モーションセンサ１５と、ＧＰＳ（Ｇｌｏｂａｌ  Ｐｏｓｉｔｉｏｎｉｎｇ  Ｓｙｓｔｅｍ）レシーバ１６とを有する。
【００３３】
第１ディスプレイ２Ａは、文字、画像、記号、及び図形等を表示する。第２ディスプレイ２Ｂ，２Ｄは、文字、画像、記号、及び図形等を表示する。第２ディスプレイ２Ｂは、第１ディスプレイ２Ａ、フロントパネル２２等をマスクする画像を表示する。第２ディスプレイ２Ｂ，２Ｄは、スマートフォン１を装飾する画像を表示する。タッチスクリーン２Ｃは、接触を検出する。コントローラ１０は、スマートフォン１に対するジェスチャを検出する。具体的には、コントローラ１０は、タッチスクリーン２Ｃと協働することによって、タッチスクリーン２Ｃに対する操作（ジェスチャ）を検出する。
【００３４】
ボタン３は、利用者によって操作される。ボタン３は、例えば、スマートフォン１のパワーオン／オフボタンを含む。ボタン３は、スリープ／スリープ解除ボタンを兼ねてもよい。ボタン３は、例えば、音量ボタンを含んでもよい。コントローラ１０は、ボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３５】
照度センサ４は、スマートフォン１の周囲光の照度を検出する。照度は、照度センサ４の測定面の単位面積に入射する光束の値である。照度センサ４は、例えば、第１ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、第１ディスプレイ２Ａ及び第２ディスプレイ２Ｂが顔に近付けられたことを検出する。照度センサ４及び近接センサ５は、一つのセンサとして構成されていてもよい。照度センサ４は、近接センサとして用いられてもよい。
【００３６】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００３７】
レシーバ７及びスピーカ１１は、音を出力する出力部の１つの例である。レシーバ７及びスピーカ１１は、コントローラ１０から送信される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部の１つの例である。マイク８は、利用者の音声等を音信号へ変換してコントローラ１０へ送信できる。
【００３８】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３９】
ストレージ９に記憶されるプログラムには、フォアグランド又はバックグランドで実行されるアプリケーションと、アプリケーションの動作を支援する制御プログラムとが含まれる。アプリケーションは、例えば、第１ディスプレイ２Ａに画面を表示させ、タッチスクリーン２Ｃを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４０】
ストレージ９は、例えば、制御プログラム９Ａ、メールアプリケーション９Ｂ、ブラウザアプリケーション９Ｃ、ナビゲートアプリケーション９Ｄ、及び設定データ９Ｚを記憶する。設定データ９Ｚは、スマートフォン１の動作に関する各種の設定に関する情報を含む。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。
【００４１】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｃを介して検出されたジェスチャに応じて、第１ディスプレイ２Ａに表示されている情報を変更する等の各種制御を行う機能が含まれる。制御プログラム９Ａが提供する機能には、第１ディスプレイ２Ａ及び第２ディスプレイ２Ｂ，２Ｄの表示を制御する機能が含まれる。制御プログラム９Ａは、タッチスクリーン２Ｃ、ボタン３等に対する操作の受け付けを制限する機能を提供する。制御プログラム９Ａが提供する機能には、モーションセンサ１５の検出結果に基づいて、スマートフォン１を携帯する利用者の移動、停止等を検出する機能が含まれる。制御プログラム９Ａが提供する機能は、メールアプリケーション９Ｂ等の他のプログラムが提供する機能と組み合わせて利用されることがある。
【００４２】
設定データ９Ｚは、第１ディスプレイ２Ａの表示状態と非表示状態とを切り替える所定の条件を判定するための条件データを含む。表示状態は、第１ディスプレイ２Ａの表示が可能な状態を含む。非表示状態は、第１ディスプレイ２Ａの表示が不能な状態、第１ディスプレイ２Ａの電源がオフの状態等を含む。所定の条件は、第１ディスプレイ２Ａを表示状態から非表示状態へ遷移させる条件を含む。例えば、所定の条件は、利用者の操作終了時から所定時間が経過したか否かを判定するための条件を含む。例えば、所定の条件は、スマートフォン１が静置されてから所定時間が経過したか否かを判定するための条件を含む。条件データは、第１ディスプレイ２Ａの表示状態から非表示状態へ遷移させる条件を含む。条件データは、第１ディスプレイ２Ａの非表示状態から表示状態へ遷移させる条件を含む。設定データ９Ｚは、第２ディスプレイ２Ｂ，２Ｄに表示する画像、表示位置等を設定するデータを含む。
【００４３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御できる。コントローラ１０の各種機能は、コントローラ１０の制御に基づいて実現される。
【００４４】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、第１ディスプレイ２Ａ、第２ディスプレイ２Ｂ、第２ディスプレイ２Ｄ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｃ、ボタン３、照度センサ４、近接センサ５、マイク８、カメラ１２、カメラ１３、モーションセンサ１５、及びＧＰＳレシーバ１６を含むが、これらに限定されない。
【００４５】
コントローラ１０は、例えば、制御プログラム９Ａを実行することにより、タッチスクリーン２Ｃを介して検出されたジェスチャに応じて、第１ディスプレイ２Ａに表示されている情報を変更する等の各種制御を実行できる。
【００４６】
カメラ１２及びカメラ１３は、撮影した画像を電気信号へ変換できる。カメラ１２は、フロントパネル２２に面している物体を撮影するインカメラである。カメラ１３は、ハウジング２０の背面２６に面している物体を撮影するアウトカメラである。
【００４７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４８】
モーションセンサ１５は、スマートフォン１を携帯する利用者の動作を判定するための各種情報を検出できる。モーションセンサ１５は、例えば、加速度センサ、方位センサ、ジャイロスコープ、磁気センサ及び気圧センサなどを備えるセンサユニットとして構成されてよい。
【００４９】
ＧＰＳレシーバ１６は、スマートフォン１の現在位置を検出できる。ＧＰＳレシーバ１６は、ＧＰＳ衛星からの所定の周波数帯の電波信号を受信し、受信した電波信号の復調処理を行って、処理後の信号をコントローラ１０に送出する。本実施形態では、スマートフォン１は、ＧＰＳレシーバ１６を有する場合について説明するが、これに限定されない。例えば、スマートフォン１は、ＧＰＳ衛星以外の測位衛星からの電波信号を受信するレシーバを備えてもよい。例えば、スマートフォン１は、通信ユニット６が無線通信を用いる基地局に基づいて、現在位置を検出してもよい。例えば、スマートフォン１は、複数の方式を併用して、現在位置を検出してもよい。
【００５０】
図７においてストレージ９が記憶するプログラム及びデータの一部又は全部は、通信ユニット６による無線通信で他の装置からダウンロードされてもよい。図７においてストレージ９が記憶するプログラム及びデータの一部又は全部は、ストレージ９に含まれる読み取り装置が読み取り可能な非一過的な記憶媒体に記憶されていてもよい。図７においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５１】
図７に示したスマートフォン１の構成は一例であり、本発明の要旨を損なわない範囲において適宜変更してよい。図７に示した例では、スマートフォン１がボタン３を備えるが、スマートフォン１は、ボタン３を備えなくてもよい。図７に示した例では、スマートフォン１が２つのカメラを備えるが、スマートフォン１は、１つのカメラのみを備えてもよいし、カメラを備えなくてもよい。
【００５２】
図８は、実施形態に係るスマートフォン１が行う表示制御の一例を示す図である。スマートフォン１は、ナビゲートアプリケーション９Ｄを実行し、図８の状態Ｓ２１に示すように、画面１００を第１ディスプレイ２Ａに表示する。状態Ｓ２１では、スマートフォン１は、第２ディスプレイ２Ｂの全面を透過状態ＳＴ１にしている。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示された画面１００を視認できる。
【００５３】
例えば、状態Ｓ２１において、スマートフォン１は、画面１００として地図画面を第１ディスプレイ２Ａに表示し、利用者が設定した目的地までのルートと自機の現在位置とに基づいてナビゲートしている。スマートフォン１は、自機の現在位置が誘導条件を満たすと、利用者を誘導するための情報を通知するイベントが発生する。誘導条件は、例えば、左折または右折する箇所に接近したことを検出、ランドマークに接近したことを検出、目的地に接近していることを検出、ルートから外れたことを検出等の条件を含む。状態Ｓ２１に示す例では、スマートフォン１は、自機の現在地位が左折の位置まで１２０ｍであることを検出すると、利用者を誘導するための情報を通知するイベントが発生する。
【００５４】
スマートフォン１は、所定のイベントが発生すると、状態Ｓ２２において、当該所定のイベントに対応した第１画像５０を第２ディスプレイ２Ｂに表示させる。所定のイベントは、例えば、アプリケーションで予め定められたイベントを含む。所定のイベントは、例えば、表示を切り替えるための利用者による特定の操作の検出を含む。特定の操作は、例えば、ダブルタップ、ロングタッチ、スライド、フリック、自機を振る（シェイク）、自機を握る（グリップ）等の操作を含む。スマートフォン１は、例えば、自機に作用する加速度に基づいてシェイクの操作を検出できる。スマートフォン１は、例えば、自機内の圧力の変化、タッチスクリーン２Ｃの接触状態等に基づいてグリップの操作を検出できる。第１画像５０は、透過部５１と、反射部５２とを有する。第１画像５０は、透過部５１と反射部５２とを組み合わせた画像となっている。スマートフォン１は、第１画像５０の透過部５１に対応した第２表示領域３００の部分が透過状態ＳＴ１、第１画像５０の反射部５２に対応した第２表示領域３００の部分が反射状態ＳＴ２となるように、第２ディスプレイ２Ｂを制御する。スマートフォン１は、第１画像５０の透過部５１を、その背後の色によって利用者に視認させる。スマートフォン１は、第１画像５０の反射部５２を、不透明な第２ディスプレイ２Ｂの色によって利用者に視認させる。
【００５５】
図８に示す例では、第１画像５０は、第１ディスプレイ２Ａとフロントパネル２２を隠す画像である場合について説明するが、これに限定されない。例えば、第１画像５０は、第１ディスプレイ２Ａのみを隠す画像であってもよい。第１画像５０の透過部５１は、通知する文字、矢印等の画像を含む。第１画像５０の反射部５２は、背景の画像を含む。スマートフォン１は、第１画像５０の透過部５１が重なる第１ディスプレイ２Ａの部分を、当該透過部５１の表示色で表示させてもよい。例えば、スマートフォン１は、第１画像５０の透過部５１の背後を黒色にすることで、透過部５１を黒色で利用者に視認させることができる。なお、スマートフォン１は、第１画像５０の反射部５２が通知する文字、矢印等の画像を含み、第１画像５０の透過部５１が背景の画像を含む構成としてもよい。
【００５６】
スマートフォン１は、第１画像５０が重なった第１ディスプレイ２Ａの一部を、第１画像５０の反射部５２で隠すことができる。スマートフォン１は、第１ディスプレイ２Ａで表示できないフロントパネル２２上に第１画像５０を表示できる。利用者は、第１ディスプレイ２Ａの画面１００から、第２ディスプレイ２Ｂの第１画像５０に切り替わったことを視認することで、表示内容の変化に気付きやすくなる。スマートフォン１は、第１ディスプレイ２Ａの画面１００を隠し、第１画像５０によって所定のイベントに関する情報を利用者に理解させる可能性を向上できる。スマートフォン１は、第２ディスプレイ２Ｂとしてポリマーネットワーク型液晶を用いることにより、第１画像５０を第２ディスプレイ２Ｂに表示している場合、外光視認性を向上し、かつ第１ディスプレイ２Ａによる表示よりも消費電力を抑制することができる。
【００５７】
スマートフォン１は、状態Ｓ２２において、所定のイベントに対応する所定操作を検出すると、第２ディスプレイ２Ｂに表示している第１画像５０を非表示にし、状態Ｓ２１に遷移する。すなわち、スマートフォン１は、第２ディスプレイ２Ｂの全面を透過状態ＳＴ１に遷移させる。スマートフォン１は、所定操作に応じて、第２ディスプレイ２Ｂに第１画像５０を表示している状態から、第１ディスプレイ２Ａに画面１００を表示している状態に切り替える。所定操作は、例えば、利用者による予め定められた操作、利用者による自機の移動等の操作（利用者の動作を含む）を含む。利用者による予め定められた操作は、例えば、ダブルタップ、ロングタッチ、スライド、フリック、自機を振る（シェイク）、自機を握る（グリップ）等の操作を含む。また、スマートフォン１は、例えば、自機に作用する加速度に基づいて、自機の移動等の操作を検出できる。
【００５８】
スマートフォン１は、所定のイベントに関する第１画像５０を、所定のイベントが発生してから所定操作を検出するまでの間にわたって第２ディスプレイ２Ｂに表示することができる。その結果、スマートフォン１は、所定のイベントに関する第１画像５０を、継続して表示できるため、利用者が情報を見落とすことを防止できる。図８に示す例では、スマートフォン１は、利用者が左折の位置に近づいていることを認識させることができる。
【００５９】
図９は、実施形態に係るスマートフォン１が行う表示制御の他の一例を示す図である。スマートフォン１は、ナビゲートアプリケーション９Ｄを実行し、図９の状態Ｓ２１に示すように、画面１００を第１ディスプレイ２Ａに表示する。図９に示す状態Ｓ２１は、図８に示す状態Ｓ２１と同一である。
【００６０】
スマートフォン１は、状態Ｓ２１において、所定のイベントとは異なるイベントが発生すると、状態Ｓ２３に遷移する。所定のイベントとは異なるイベントは、例えば、実行しているアプリケーションに関係のないイベントを含む。例えば、スマートフォン１は、時報のイベントが発生した場合、状態Ｓ２３において、時報に関する第２画像６０を第２ディスプレイ２Ｂに表示する。第２画像６０は、透過部６１と、反射部６２とを有する。第２画像６０は、透過部６１と反射部６２とを組み合わせた画像となっている。スマートフォン１は、第２画像６０の透過部６１に対応した第２表示領域３００の部分が透過状態ＳＴ１、第２画像６０の反射部６２に対応した第２表示領域３００の部分が反射状態ＳＴ２となるように、第２ディスプレイ２Ｂを制御する。スマートフォン１は、第２画像６０の透過部６１を、その背後の色によって利用者に視認させる。スマートフォン１は、第２画像６０の反射部６２を、不透明な第２ディスプレイ２Ｂの色によって利用者に視認させる。
【００６１】
図９に示す例では、スマートフォン１は、第２画像６０を、ハウジング２０のフロントパネル２２に重ね、第１ディスプレイ２Ａには重ねない画像とする場合について説明するが、これに限定されない。例えば、スマートフォン１は、図８に示す状態Ｓ２２と同様に、第２画像６０をフロントパネル２２の全体を覆う画像としてもよい。第２画像６０の透過部６１は、通知する数字の画像を含む。第２画像６０の反射部６２は、背景の画像を含む。スマートフォン１は、第２画像６０を第１ディスプレイ２Ａ上に重ねてもよい。
【００６２】
スマートフォン１は、状態Ｓ２３において、所定のイベントとは異なるイベントが発生してから所定時間が経過すると、第２画像６０を非表示にし、状態Ｓ２１に遷移する。スマートフォン１は、所定のイベントに関しない第２画像６０を常時表示しない。その結果、スマートフォン１は、所定のイベントに関する情報と所定のイベントに関しない情報とを異なる表示態様で表示できるので、利用者の利便性を向上させることができる。
【００６３】
図１０は、実施形態に係るスマートフォン１による表示制御の一例の処理手順を示すフローチャートである。図１０に示す処理手順は、コントローラ１０が制御プログラム９Ａを実行することによって実現される。図１０に示す処理手順は、コントローラ１０によって繰り返し実行される。
【００６４】
図１０に示すように、スマートフォン１のコントローラ１０は、第１ディスプレイ２Ａを表示中であるか否かを判定する（ステップＳ１０１）。例えば、コントローラ１０は、第１ディスプレイ２Ａに何らかの情報を表示している場合、第１ディスプレイ２Ａを表示中であると判定する。コントローラ１０は、第１ディスプレイ２Ａを表示中ではないと判定した場合（ステップＳ１０１でＮｏ）、図１０に示す処理手順を終了させる。コントローラ１０は、第１ディスプレイ２Ａを表示中であると判定した場合（ステップＳ１０１でＹｅｓ）、処理をステップＳ１０２に進める。
【００６５】
コントローラ１０は、所定のイベントが発生したか否かを判定する（ステップＳ１０２）。例えば、コントローラ１０は、第１ディスプレイ２Ａを表示中に、予め定められたイベントの発生を検出した場合、所定のイベントが発生したと判定する。例えば、コントローラ１０は、所定のアプリケーションを実行している場合に、予め定められたイベントの発生を検出した場合、所定のイベントが発生したと判定する。コントローラ１０は、所定のイベントが発生したと判定した場合（ステップＳ１０２でＹｅｓ）、処理をステップＳ１０３に進める。
【００６６】
コントローラ１０は、所定のイベントに対応した第１画像５０を第２ディスプレイ２Ｂに表示させる（ステップＳ１０３）。例えば、コントローラ１０は、所定のイベントに対応した第１画像５０を特定し、特定した第１画像５０を第２ディスプレイ２Ｂに表示させる。例えば、コントローラ１０は、第２ディスプレイ２Ｂに第１画像５０を表示させた後、第１ディスプレイ２Ａを非表示とさせてもよい。コントローラ１０は、第１画像５０を第２ディスプレイ２Ｂに表示させると、処理をステップＳ１０４に進める。
【００６７】
コントローラ１０は、所定操作を検出したか否かを判定する（ステップＳ１０４）。例えば、コントローラ１０は、第１画像５０に対応した操作、動作等を検出した場合、所定操作を検出したと判定する。コントローラ１０は、所定操作を検出していないと判定した場合（ステップＳ１０４でＮｏ）、処理を既に説明したステップＳ１０３に戻す。コントローラ１０は、所定操作を検出したと判定した場合（ステップＳ１０４でＹｅｓ）、処理をステップＳ１０５に進める。
【００６８】
コントローラ１０は、第２ディスプレイ２Ｂに表示している第１画像５０を消去させる（ステップＳ１０５）。例えば、第１画像５０の表示中、第１ディスプレイ２Ａを非表示とさせていた場合、コントローラ１０は、第１ディスプレイ２Ａを非表示前の状態に戻す。コントローラ１０は、第１画像５０を消去させると、図１０に示す処理手順を終了させる。
【００６９】
コントローラ１０は、所定のイベントが発生していないと判定した場合（ステップＳ１０２でＮｏ）、処理をステップＳ１０６に進める。コントローラ１０は、所定のイベントとは異なるイベントが発生したか否かを判定する（ステップＳ１０６）。例えば、コントローラ１０は、所定のイベントとは異なり、かつ第１ディスプレイ２Ａの表示中に一時的な表示が許可されたイベントの発生を検出した場合、所定のイベントとは異なるイベントが発生したと判定する。コントローラ１０は、所定のイベントとは異なるイベントが発生していないと判定した場合（ステップＳ１０６でＮｏ）、図１０に示す処理手順を終了させる。
【００７０】
コントローラ１０は、所定のイベントとは異なるイベントが発生したと判定した場合（ステップＳ１０６でＹｅｓ）、処理をステップＳ１０７に進める。コントローラ１０は、所定のイベントに関しないイベントに対応した第２画像６０を第２ディスプレイ２Ｂに表示させる（ステップＳ１０７）。例えば、コントローラ１０は、所定のイベントに関しないイベントに対応した第２画像６０を特定し、特定した第２画像６０を第２ディスプレイ２Ｂに表示させる。例えば、コントローラ１０は、第１ディスプレイ２Ａの表示状態を維持したまま、第２画像６０を第２ディスプレイ２Ｂに表示させる。例えば、コントローラ１０は、第２画像６０を第１ディスプレイ２Ａと重ならない第２ディスプレイ２Ｂの位置に表示させる。なお、コントローラ１０は、第２画像６０を第１ディスプレイ２Ａと重なる第２ディスプレイ２Ｂの位置に表示させてもよい。例えば、コントローラ１０は、第２画像６０をハウジング２０の背面２６に設けられた第２ディスプレイ２Ｄに表示させてもよい。
【００７１】
コントローラ１０は、第２画像６０を第２ディスプレイ２Ｂに表示させた後、所定時間が経過したか否かを判定する（ステップＳ１０８）。例えば、コントローラ１０は、第２画像６０の表示を開始した時間と現在の時間との差が所定時間を超えた場合、所定のイベントの発生時に起動したタイマーがタイムアウトした場合等に、所定時間が経過したと判定する。コントローラ１０は、所定時間が経過していないと判定した場合（ステップＳ１０８でＮｏ）、処理を既に説明したステップＳ１０７に戻す。コントローラ１０は、所定時間が経過したと判定した場合（ステップＳ１０８でＹｅｓ）、処理をステップＳ１０９に進める。
【００７２】
コントローラ１０は、第２ディスプレイ２Ｂに表示している第２画像６０を消去させる（ステップＳ１０９）。コントローラ１０は、第２画像６０を消去させると、図１０に示す処理手順を終了させる。
【００７３】
図１１は、実施形態に係るスマートフォン１が行う表示制御の他の一例を示す図である。スマートフォン１は、制御プログラム９Ａを実行し、図１１の状態Ｓ３１に示すように、画面１００を第１ディスプレイ２Ａに表示する。状態Ｓ３１では、スマートフォン１は、第２ディスプレイ２Ｂの全面を透過状態ＳＴ１にしている。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示された画面１００を視認できる。
【００７４】
例えば、状態Ｓ３１において、スマートフォン１は、ホーム画面である画面１００を第１ディスプレイ２Ａに表示している。スマートフォン１は、通信ユニット６によって着信を検出し、利用者によって応答されなかった場合、当該着信を通知する所定のイベントが発生する。状態Ｓ３１に示す例では、スマートフォン１が画面１００を第１ディスプレイ２Ａに表示する場合について説明するが、これに限定されない。例えば、スマートフォン１は、ロック画面、他のアプリケーションの画面等を画面１００として表示していてもよい。
【００７５】
スマートフォン１は、所定のイベントが発生すると、状態Ｓ３２において、当該所定のイベントに対応した第１画像５０Ａを第２ディスプレイ２Ｂに表示させる。所定のイベントは、例えば、アプリケーションで予め定められたイベントを含む。第１画像５０Ａは、透過部５１と、反射部５２とを有する。第１画像５０Ａは、透過部５１と反射部５２とを組み合わせた画像となっている。スマートフォン１は、第１画像５０Ａの透過部５１に対応した第２表示領域３００の部分が透過状態ＳＴ１、第１画像５０Ａの反射部５２に対応した第２表示領域３００の部分が反射状態ＳＴ２となるように、第２ディスプレイ２Ｂを制御する。スマートフォン１は、第１画像５０Ａの透過部５１を、その背後の色によって利用者に視認させる。スマートフォン１は、第１画像５０Ａの反射部５２を、不透明な第２ディスプレイ２Ｂの色によって利用者に視認させる。
【００７６】
図１１に示す例では、第１画像５０Ａは、第１ディスプレイ２Ａとフロントパネル２２を隠す画像である場合について説明するが、これに限定されない。例えば、第１画像５０Ａは、第１ディスプレイ２Ａのみを隠す画像であってもよい。第１画像５０Ａの透過部５１は、着信を示すアイコン、着信の詳細を示す付箋（メモ）等の画像を含む。第１画像５０Ａの反射部５２は、背景の画像を含む。スマートフォン１は、第１画像５０Ａの透過部５１が重なる第１ディスプレイ２Ａの部分を、当該透過部５１の表示色で表示させてもよい。例えば、スマートフォン１は、第１画像５０Ａの透過部５１の背後を黒色にすることで、透過部５１を黒色で利用者に視認させることができる。
【００７７】
スマートフォン１は、第１画像５０Ａが重なった第１ディスプレイ２Ａの一部を、第１画像５０Ａの反射部５２で隠すことができる。スマートフォン１は、第１ディスプレイ２Ａで表示できないフロントパネル２２上に第１画像５０Ａを表示できる。利用者は、第１ディスプレイ２Ａの画面１００から、第２ディスプレイ２Ｂの第１画像５０Ａに切り替わったことを視認することで、表示内容の変化に気付きやすくなる。スマートフォン１は、第１ディスプレイ２Ａの画面１００を隠し、第１画像５０Ａによって所定のイベントに関する情報を利用者に理解させる可能性を向上できる。スマートフォン１は、第２ディスプレイ２Ｂとしてポリマーネットワーク型液晶を用いることにより、第１画像５０Ａを第２ディスプレイ２Ｂに表示している場合、外光視認性を向上し、かつ第１ディスプレイ２Ａによる表示よりも消費電力を抑制することができる。
【００７８】
スマートフォン１は、状態Ｓ３２において、所定のイベントに対応する所定操作を検出すると、第２ディスプレイ２Ｂに表示している第１画像５０Ａを非表示にし、状態Ｓ３１に遷移する。すなわち、スマートフォン１は、第２ディスプレイ２Ｂの全面を透過状態ＳＴ１に遷移させる。スマートフォン１は、所定操作に応じて、第２ディスプレイ２Ｂに第１画像５０Ａを表示している状態から、第１ディスプレイ２Ａに画面１００を表示している状態に切り替える。
【００７９】
スマートフォン１は、所定のイベントに関する第１画像５０Ａを、所定のイベントが発生してから所定操作を検出するまでの間にわたって第２ディスプレイ２Ｂに表示することができる。その結果、スマートフォン１は、所定のイベントに関する第１画像５０Ａを、継続して表示できるため、利用者が所定のイベントに関する情報を見落とすことを防止できる。図１１に示す例では、スマートフォン１は、利用者が電話の着信に関する情報を見落とすことを防止できる。
【００８０】
スマートフォン１は、状態Ｓ３１において、所定のイベントとは異なるイベントが発生すると、図９に示した例と同様に、当該イベントに対応した第２画像６０を第２ディスプレイ２Ｂに表示する。スマートフォン１は、第２画像６０を第２ディスプレイ２Ｂに表示した後、所定時間が経過すると、第２画像６０を非表示にさせる。この場合、スマートフォン１は、状態Ｓ３１に示す画面１００の第１ディスプレイ２Ａにおける表示を継続させる。
【００８１】
スマートフォン１は、図１１に示す状態Ｓ３１と状態Ｓ３２との表示制御の処理手順について、図１０に示した処理手順を用いることができるため、説明は省略する。すなわち、スマートフォン１のコントローラ１０は、図１０に示す処理手順を繰り返し実行することにより、図１１に示す表示制御を実現することができる。
【００８２】
図１２は、実施形態に係るスマートフォン１が行う表示制御の他の一例を示す図である。スマートフォン１は、ブラウザアプリケーション９Ｃを実行し、図１２の状態Ｓ４１に示すように、画面１００を第１ディスプレイ２Ａに表示する。図１２に示す例では、画面１００は、ブラウザアプリケーション９Ｃによって表示されるブラウザ画面を含む。状態Ｓ４１では、スマートフォン１は、第２ディスプレイ２Ｂの全面を透過状態ＳＴ１にしている。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示された画面１００を視認できる。
【００８３】
例えば、状態Ｓ４１において、スマートフォン１は、ブラウザ画面である画面１００を第１ディスプレイ２Ａに表示している。この場合、スマートフォン１は、画面１００に対する利用者の操作に応じて、サーバ等からクーポンの表示要求を受信する所定のイベントが発生する場合がある。
【００８４】
スマートフォン１は、所定のイベントが発生すると、状態Ｓ４２において、当該所定のイベントに対応した第１画像５０Ｂを第２ディスプレイ２Ｂに表示させる。第１画像５０Ｂは、透過部５１と、反射部５２とを有する。第１画像５０Ｂは、透過部５１と反射部５２とを組み合わせた画像となっている。スマートフォン１は、第１画像５０Ｂの透過部５１に対応した第２表示領域３００の部分が透過状態ＳＴ１、第１画像５０Ｂの反射部５２に対応した第２表示領域３００の部分が反射状態ＳＴ２となるように、第２ディスプレイ２Ｂを制御する。スマートフォン１は、第１画像５０Ｂの透過部５１を、その背後の色によって利用者に視認させる。スマートフォン１は、第１画像５０Ｂの反射部５２を、不透明な第２ディスプレイ２Ｂの色によって利用者に視認させる。
【００８５】
図１２に示す例では、第１画像５０Ｂは、第１ディスプレイ２Ａとフロントパネル２２を隠す画像である場合について説明するが、これに限定されない。例えば、第１画像５０Ｂは、第１ディスプレイ２Ａのみを隠す画像であってもよい。第１画像５０Ｂの透過部５１は、クーポンの文字、数字、枠等を示す画像を含む。第１画像５０Ｂの反射部５２は、背景の画像を含む。スマートフォン１は、第１画像５０Ｂの透過部５１が重なる第１ディスプレイ２Ａの部分を、当該透過部５１の表示色で表示させてもよい。例えば、スマートフォン１は、第１画像５０Ｂの透過部５１の背後を赤色、黄色等にすることで、透過部５１を赤色、黄色等で利用者に視認させることができる。
【００８６】
スマートフォン１は、第１画像５０Ｂが重なった第１ディスプレイ２Ａの一部を、第１画像５０Ｂの反射部５２で隠すことができる。スマートフォン１は、第１ディスプレイ２Ａで表示できないフロントパネル２２上に第１画像５０Ｂを表示できる。利用者は、第１ディスプレイ２Ａの画面１００から、第２ディスプレイ２Ｂの第１画像５０Ｂに切り替わったことを視認することで、表示内容の変化に気付きやすくなる。スマートフォン１は、第１ディスプレイ２Ａの画面１００を隠し、第１画像５０Ｂによって所定のイベントに関する情報を利用者に理解させる可能性を向上できる。スマートフォン１は、第２ディスプレイ２Ｂとしてポリマーネットワーク型液晶を用いることにより、第１画像５０Ｂを第２ディスプレイ２Ｂに表示している場合、外光視認性を向上し、かつ第１ディスプレイ２Ａによる表示よりも消費電力を抑制することができる。
【００８７】
スマートフォン１は、状態Ｓ４２において、所定のイベントに対応する所定操作を検出すると、第２ディスプレイ２Ｂに表示している第１画像５０Ｂを非表示にし、状態Ｓ４１に遷移する。すなわち、スマートフォン１は、第２ディスプレイ２Ｂの全面を透過状態ＳＴ１に遷移させる。スマートフォン１は、所定操作に応じて、第２ディスプレイ２Ｂに第１画像５０Ｂを表示している状態から、第１ディスプレイ２Ａに画面１００を表示している状態に切り替える。
【００８８】
スマートフォン１は、状態Ｓ４１において、所定のイベントとは異なるイベントが発生すると、図９に示した例と同様に、当該イベントに対応した第２画像６０を第２ディスプレイ２Ｂに表示する。スマートフォン１は、第２画像６０を第２ディスプレイ２Ｂに表示した後、所定時間が経過すると、第２画像６０を非表示にさせる。この場合、スマートフォン１は、状態Ｓ４１に示す画面１００の第１ディスプレイ２Ａにおける表示を継続させる。
【００８９】
スマートフォン１は、図１２に示す状態Ｓ４１と状態Ｓ４２との表示制御の処理手順について、図１０に示した処理手順を用いることができるため、説明は省略する。すなわち、スマートフォン１のコントローラ１０は、図１０に示す処理手順を繰り返し実行することにより、図１２に示す表示制御を実現することができる。
【００９０】
本出願の開示する実施形態は、発明の要旨及び範囲を逸脱しない範囲で変更することができる。さらに、本出願の開示する実施形態は、適宜組み合わせることができる。例えば、上記の実施形態は、以下のように変形してもよい。
【００９１】
図８から図１２を参照して説明した表示制御の一例では、所定のイベントとは異なるイベントが発生したと判定した場合に、所定のイベントに関しないイベントに対応した第２画像６０を第２ディスプレイ２Ｂに表示させる構成を例示したが、これに限定されない。スマートフォン１は、所定のイベントとは異なるイベントが発生したと判定した場合に、所定のイベントに関しないイベントに対応した第２画像６０を第１ディスプレイ２Ａに表示してもよい。
【００９２】
例えば、図７に示した各プログラムは、複数のモジュールに分割されていてもよいし、他のプログラムと結合されていてもよい。
【００９３】
上記の実施形態では、スマートフォン１は、ハウジング２０の背面２６に第２ディスプレイ２Ｄを有する。スマートフォン１は、上記の第１画像５０、第２画像６０等の情報を第２ディスプレイ２Ｄに表示させてもよい。
【００９４】
図１３は、実施形態に係るスマートフォン１が行う表示制御の他の一例を示す図である。図１３に示すように、スマートフォン１は、背面２６の第２ディスプレイ２Ｄに透光性の着色部材２Ｅを重ねている。スマートフォン１は、背面２６の第２ディスプレイ２Ｄに情報を表示させることにより、第２ディスプレイ２Ｄの反射状態ＳＴ２の部分を着色部材２Ｅの色で光っているように利用者に視認させることができる。
【００９５】
図１３に示す例では、スマートフォン１は、数字の部分を反射状態ＳＴ２、背景の部分を透過状態ＳＴ１としている。その結果、スマートフォン１は、第２ディスプレイ２Ｄに表示している数字の部分が着色部材２Ｅの色で光っているように、利用者に視認させることができる。スマートフォン１は、第２ディスプレイ２Ｄの透過状態ＳＴ１の部分が、反射状態ＳＴ２の部分よりも暗くなっている。スマートフォン１は、背面２６の第２ディスプレイ２Ｄに、上記の第１画像５０、第２画像６０等の情報を表示させることにより、表示態様の多様化を図ることができる。スマートフォン１は、第２ディスプレイ２Ｄとしてポリマーネットワーク型液晶を用いることにより、外光視認性を向上し、かつ消費電力を抑制することができる。
【００９６】
上記の実施形態では、スマートフォン１は、第１画像５０，５０Ａ，５０Ｂを第１領域３０１と第２領域３０２とに跨がる場合について説明したが、これに限定されない。例えば、スマートフォン１は、第２ディスプレイ２Ｂの画像を第１領域３０１または第２領域３０２のいずれか一方に表示させてもよい。
【００９７】
上記の実施形態では、スマートフォン１は、略長方形状の第２ディスプレイ２Ｂ，２Ｄを用いる場合について説明したが、これに限定されない。例えば、スマートフォン１は、多角形、楕円、星形等の形状を有する第２ディスプレイ２Ｂ，２Ｄを用いてもよい。
【００９８】
上記の実施形態では、スマートフォン１は、タッチスクリーン２Ｃのサイズを第１ディスプレイ２Ａと略同一のサイズとする場合について説明したが、これに限定されない。例えば、スマートフォン１は、タッチスクリーン２Ｃのサイズを第２ディスプレイ２Ｂと略同一のサイズとしてもよい。
【００９９】
上記の実施形態では、スマートフォン１は、第１ディスプレイ２Ａの表示面側に１つの第２ディスプレイ２Ｂを積層する場合について説明したが、これに限定されない。例えば、スマートフォン１は、第１ディスプレイ２Ａの表示面側に、複数の第２ディスプレイを積層させてもよい。
【０１００】
上記の実施形態では、スマートフォン１は、第２ディスプレイ２Ｄをハウジング２０の背面２６の全面に設ける場合について説明したが、これに限定されない。例えば、スマートフォン１は、第２ディスプレイ２Ｄを背面２６の一部に設けてもよい。さらに、スマートフォン１は、ハウジング２０の背面２６において、第１ディスプレイ２Ａと第２ディスプレイ２Ｄとを重ねてもよい。
【０１０１】
上記の実施形態では、スマートフォン１は、第２ディスプレイ２Ｂ，２Ｄをドットのマトリクス表示させる場合について説明したが、これに限定されない。第２ディスプレイ２Ｂ，２Ｄは、セグメント表示させたり、マトリクス表示とセグメント表示とを組み合わせたりしてもよい。
【０１０２】
図１４は、第２ディスプレイ２Ｂの第２表示領域３００の他の一例を示す図である。図１４に示すように、第２ディスプレイ２Ｂの第２表示領域３００は、セグメント領域３００Ｇと、マトリクス領域３００Ｍとを含む。セグメント領域３００Ｇは、予め定められた複数のセグメントのうち所望のセグメントを表示できる。複数のセグメントは、例えば、数字、文字、記号等を含む。セグメント領域３００Ｇは、例えば、矢印、時計、距離・速度計等を表示できる。マトリクス領域３００Ｍは、複数のドット（画素）を組み合わせて表示できる。マトリクス領域３００Ｍは、例えば、日付、テキスト、通知アイコン等を表示できる。スマートフォン１は、第２ディスプレイ２Ｂのセグメント領域３００Ｇの表示するセグメント部分のみを透過状態ＳＴ１、すなわち、電圧の印加状態にすればよいため、電力消費を抑制することができる。第２ディスプレイ２Ｂの第２表示領域３００において、セグメント領域３００Ｇと、マトリクス領域３００Ｍとの配置は、図１４に示す例に限定されない。なお、第２ディスプレイ２Ｄの第３表示領域４００についても、第２ディスプレイ２Ｂと同様に、セグメント領域とマトリクス領域とを含んでもよい。
【０１０３】
上記の実施形態では、携帯電子機器の例として、スマートフォン１について説明したが、添付の請求項に係る携帯電子機器は、スマートフォン１に限定されない。添付の請求項に係る携帯電子機器は、スマートフォン１以外の電子機器であってもよい。電子機器は、例えば、モバイルフォン、スマートウォッチ、携帯型パソコン、ヘッドマウントディスプレイ、デジタルカメラ、メディアプレイヤ、電子書籍リーダ、ナビゲータ、及びゲーム機を含むが、これに限定されない。
【０１０４】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。上述の各手段、各ステップ、各動作、各機能等は論理的に矛盾しないように再配置可能であり、複数の手段、ステップ動作、機能等は如何様にも組み合わせたり、分割したりすることが可能である。
【符号の説明】
【０１０５】
１  スマートフォン
２Ａ  第１ディスプレイ
２Ｂ，２Ｄ  第２ディスプレイ
２Ｃ  タッチスクリーン
２Ｅ  着色部材
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｚ  設定データ
１０  コントローラ
１１  スピーカ
１２、１３  カメラ
１４  コネクタ
１５  モーションセンサ
１６  ＧＰＳレシーバ
２０  ハウジング
【図１】
2018198006.tif 000003
【図２】
2018198006.tif 000004
【図３】
2018198006.tif 000005
【図４】
2018198006.tif 000006
【図５】
2018198006.tif 000007
【図６】
2018198006.tif 000008
【図７】
2018198006.tif 000009
【図８】
2018198006.tif 000010
【図９】
2018198006.tif 000011
【図１０】
2018198006.tif 000012
【図１１】
2018198006.tif 000013
【図１２】
2018198006.tif 000014
【図１３】
2018198006.tif 000015
【図１４】
2018198006.tif 000016